(57)【要約】      （修正有）【課題】蓋体の開閉に応動してトレイが先方向に押し出されるとともに、収容体が突起部によって持ち上げられ、極小の収容体であっても容易に収容体の取出しを行うことができる収納ケースを提供する。【解決手段】収容体を収納する収納部22の設けられた四角形のトレイ20と、トレイの両側面奥に下端が回動自在に枢着されるとともに内裏面の両側に側面に沿って伸延するガイド溝42が設けられた開閉自在の蓋体40と、トレイを摺動可能に装着するベース30であって一端を遥動可能に枢着するとともに他端を蓋体のガイド溝に摺動可能に係合した左右一対の連結杆50が両側面中央付近に遥動可能に一体的に立設されているベースとからなり、蓋体を開く操作に応じて蓋体に枢着されているトレイは先方向に押し出され、蓋体を閉じる操作に応じてトレイは後方向に収納される構成である。【選択図】図１
2006082868.tif 000002
【特許請求の範囲】
【請求項１】
収容体を収納する収納ケースが、
収容体を収納する収納部の設けられた四角形のトレイと、
前記トレイの両側面奥に下端が回動自在に枢着されるとともに内裏面の両側に側面に沿って伸延するガイド溝が設けられた開閉自在の蓋体と、
トレイを摺動可能に装着するベースであって一端を遥動可能に枢着するとともに他端を蓋体のガイド溝に摺動可能に係合した左右一対の連結杆が両側面中央付近に遥動可能に一体的に立設されているベースとからなり、
前記蓋体を開く操作に応じて蓋体に枢着されているトレイは先方向に押し出され、前記蓋体を閉じる操作に応じて前記トレイは後方向に収納されることを特徴とする収納ケース
【請求項２】
収容体を収納する収納ケースが、
収容体を収納する収納部の設けられた四角形のトレイと、
該トレイを摺動可能に装着したベースと、
前記トレイの両側面奥に下端が回動自在に枢着されるとともに内裏面の両側に側面に沿って伸延するガイド溝が凹設された開閉自在の蓋体と、
一端を前記ベースに遥動可能に装着するとともに他端を前記蓋体のガイド溝に摺動可能に係合した左右一対の連結杆とからなり、
前記蓋体を開く操作に応じて前記トレイは先方向に押し出され、前記蓋体を閉じる操作に応じて前記トレイは後方向に収納されることを特徴とする収納ケース
【請求項３】
前記収納ケースは、連結杆を横倒状態から上方向に付勢する板バネ等の付勢手段を設けたことを特徴とする前記請求項２記載の収納ケース
【請求項４】
前記収納ケースは、前記トレイが先方向に移動した際に収納される収容体の先側の端部が持ち上がるように、前記ベースの先端近傍に先端に向かって傾斜する傾斜面を備えた収容体持上用の突起部を設けるとともに、前記トレイに前記収容体持上用の突起部を突出させる切欠部を設けた構成で、前記収容体持上用の突起部は蓋体を閉じたときには収容体と非接触であり蓋体を開く操作によりトレイに収容されている収容体に接触して収容体の先端を持ち上げることを特徴とする前記請求項１乃至３記載の収納ケース
【請求項５】
前記トレイは、両側面奥の両端部の枢着部に前記蓋体の両側面端部を枢着するとともに、収納部と前記蓋体の枢着部との間に前記蓋体とベースを連結する連結杆を通すための溝部を設けたことを特徴とする前記請求項１乃至４記載の収納ケース
【請求項６】
前記収納ケースは、
蓋体開閉時に前記ベースを支持し易くするためにベースの両側端面に凸設されたベース支持凸部と、該ベース支持凸部の上面に先端方向から後端に向かって徐々に傾斜する傾斜面と、前記蓋体の両側壁を前記ベース支持凸部と対応する形状に切欠した凹部を設けるとともに、
前記蓋体を閉じる際にベース支持凸部の傾斜面と接触して蓋体を後端方向へ誘導するために、凹部の開口端の後側の端部をアール形状にしたことを特徴とする前記請求項１乃至５記載の収納ケース
【請求項７】
前記収納ケースは、
前記ベースの側面の後端付近の上部であって前記蓋体を閉じた状態の蓋体とトレイの枢着点よりも先端側の位置に蓋体回動支部を凸設するとともに、前記蓋体を閉じた状態において前記蓋体回動支部に対応する位置を切欠した蓋体回動支部係合部を設けており、
前記蓋体を開けるときに、前記蓋体回動支部と係合部の接触点を支点として蓋体が回動し、蓋体の後端が先端方向に移動してトレイが先方向に押し出されることを特徴とする前記請求項１乃至６記載の収納ケース
【発明の詳細な説明】
【技術分野】
【０００１】
本発明は、書類やカード、または小型の記憶媒体等のような薄型の収容体を収納するケースに関し、特に蓋体の開閉に応動して収容体が持ち上がり、容易に収容体の取出しを行うことができる収納ケースに関する。
【背景技術】
【０００２】
ノートや書類、またはメモリカード等の記憶媒体のような薄型の収容体を収納するために、収容体の種類や使用態様に応じた様々な形状や大きさの収納ケースが提案されている。例えば、書類やノートのような収容体をまとめて収納することができる収納ケースとしては、単に整理整頓を目的とするものから持ち運びにも便利な形状に形成されたものまで流通している。ユーザーは、必要に応じて所望の収納ケースを選択して使用することが出来る。また、特定の収容体を収納する形状に特化した専用の収納ケースも数多く提供されている。例えば、薄い小型のカード型メモリカード等の記憶媒体は、予め専用の収納ケースを伴って提供されている。このような専用の収納ケースは、埃の混入を防ぐ目的や流通または持ち運びの際の破損を防ぐ目的など、収容体に合わせて適宜の機能を備えた構成となっている。
【０００３】
薄型の収容体を収納する収納ケースの基本的な構成としては、上部が開口した箱型の収納部と、その開口部の一辺の端部に回動可能に枢着された蓋体とからなる構造であることが多い。収納部は、その収納ケースが収納する目的物である収容体よりも若干大きい程度に構成されており、収容体を取り出す際には、収容体の端部に指を引っ掛けて上方に持ち上げることにより取り出すことが多い。また、振動に弱い記憶媒体などの収容体を収納するケースでは、収納部を収容体より大きく構成すると持ち運びの際にケース内で振動するため、収容体がピッタリと収まる寸法とするか、収容体を収納部内で固定することができる構造を付加している。しかし、収納部を収容体がピッタリと丁度に収まる寸法に構成した場合、取り出す際に収容体とケースの内壁との間に指または爪を挿入させる隙間が確保されてないために、収容体を持ち上げることが困難な場合もある。親切に、取り出し用に一部に切り欠きを設けている構造のものもある。
【０００４】
また、収容体より多少大きめに構成されている場合であっても、非常に薄い収容体や極小の収容体の場合は指を挿入する隙間が全くない状態も考えられ、容器から容易に取り出すことが出来ないという問題があった。このような場合は、収納ケースを逆さにして収容体を落下させて取り出す等の方法を用いる事になり、しばしば不意の取りそこない等により取り落として収容体に破損を生じる等の問題が惹起することがあった。また、先に例として挙げたメモリカード等の記憶媒体にあっては急速に小型化が進んでおり、近年流通している小型記憶媒体は約２センチ×３センチ程度の大きさで非常に薄く、小型に過ぎて取り扱いが困難な場合もあるほどである。このような収容体を収納するケースにあっては指を挿入するどころか、普通に取り出すことすら容易ではない状態も考えられる。無理に取り出そうとすれば誤って落としてしまい、記憶媒体が破損する可能性も考えられる。また、この種の記憶媒体の場合は、取り落とす等の衝撃を与えることを極力避けるように要請されている。
【０００５】
上記の問題を解決するために、最新の収納ケースにおいては、収容体を取り出し易くすることを目的とした各種の技術が提案されている。例えば、特開平８−１４３０８７の記録担体用ケースは、蓋体の開閉に応じて軸体を支点に中ケースが移動して外ケースの外側に中ケースが突出し、記録担体を取り出しやすくしている。しかし、中ケースごと突出させて持ち上げる構造は、本件が実現しようとする課題である薄型の収容体を指でつまみ出し易くするような構成ではない。また、中ケースを持ち上げて突出させても、記録担体は収納ケースの中に嵌合係止されており、極小の収容体を取り出しやすい状態にした構成であるとは言い難い構造である。また、特開平８−１４３０８７のような複雑な構成では製造コストが高くなる欠点がある。さらに、特開平８−１４３０８７の図４に開示された構成では、ケースに透明な材質を選択した際に内部の機構が邪魔になってデザインが制限されるという問題点も指摘されている。
【０００６】
また、実開平６−７６１６７には、カートリッジ光ディスク用の引き出し型ケースにおいて、ケースからカートリッジを引き出した際に、カートリッジディスクの端部を持ち上げて収容体を取り出し易くする構造が開示されている。しかし、この考案で開示されている技術は、引き出し式のケースにしか適用することが出来ず、蓋体を開閉するケースには適用できない。さらに、収容体を持ち上げるためには収納凹部の後側底面に傾斜面を設ける必要があるため、ケースにある程度の厚みが必要である。
【０００７】
従来の技術では、極小の収容体の収納や取出しが容易ではなく、複雑な構造で高価であったりしたため、単純な構造の収納ケースであって、蓋体の開閉に応動して収容体が持ち上がり、容易に収容体の取出しを行うことができる収納ケースの開発が待たれていた。
【０００８】
【特許文献１】特開平８−１４３０８７
【特許文献２】実開平６−７６１６７
【発明の開示】
【発明が解決しようとする課題】
【０００９】
上記問題を解決するために、本発明の収納ケースは、蓋体の開閉に応動してトレイが先方向に押し出されるとともに、収容体が突起部によって持ち上げられ、極小の収容体であっても容易に収容体の取出しを行うことができる収納ケースを提供する事を目的としている。
【課題を解決するための手段】
【００１０】
本発明にかかる収納ケースは、収容体を収納する収納ケースが、収容体を収納する収納部の設けられた四角形のトレイと、トレイの両側面奥に下端が回動自在に枢着されるとともに内裏面の両側に側面に沿って伸延するガイド溝が設けられた開閉自在の蓋体と、トレイを摺動可能に装着するベースであって一端を遥動可能に枢着するとともに他端を蓋体のガイド溝に摺動可能に係合した左右一対の連結杆が両側面中央付近に遥動可能に一体的に立設されているベースとからなり、前記蓋体を開く操作に応じて蓋体に枢着されているトレイは先方向に押し出され、前記蓋体を閉じる操作に応じて前記トレイは後方向に収納される構成である。
【００１１】
また、収容体を収納する収納ケースが、収容体を収納する収納部の設けられた四角形のトレイと、トレイを摺動可能に装着したベースと、トレイの両側面奥に下端が回動自在に枢着されるとともに内裏面の両側に側面に沿って伸延するガイド溝が凹設された開閉自在の蓋体と、一端を前記ベースに遥動可能に装着するとともに他端を蓋体のガイド溝に摺動可能に係合した左右一対の連結杆とからなり、蓋体を開く操作に応じてトレイは先方向に押し出され、蓋体を閉じる操作に応じてトレイは後方向に収納される構成とすることも出来る。
また、この収納ケースは、連結杆を横倒状態から上方向に付勢する板バネ等の付勢手段を設けた構成とすることも出来る。
【００１２】
収納ケースは、トレイが先方向に移動した際に収納される収容体の先側の端部が持ち上がるように、ベースの先端近傍に先端に向かって傾斜する傾斜面を備えた収容体持上用の突起部を設けるとともに、トレイに収容体持上用の突起部を突出させる切欠部を設けた構成で、収容体持上用の突起部は蓋体を閉じたときには収容体と非接触であり蓋体を開く操作によりトレイに収容されている収容体に接触して収容体の先端を持ち上げる構成である。
トレイは、両側面奥の両端部の枢着部に蓋体の両側面端部を枢着するとともに、収納部と蓋体の枢着部との間に蓋体とベースを連結する連結杆を通すための溝部を設けた構成である。
【００１３】
また、収納ケースは、蓋体開閉時にベースを支持し易くするためにベースの両側端面に凸設されたベース支持凸部と、ベース支持凸部の上面に先端方向から後端に向かって徐々に傾斜する傾斜面と、蓋体の両側壁を前記ベース支持凸部と対応する形状に切欠した凹部を設けるとともに、蓋体を閉じる際にベース支持凸部の傾斜面と接触して蓋体を後端方向へ誘導するために、凹部の開口端の後側の端部をアール形状にした構成とすることもできる。さらに、収納ケースは、ベースの側面の後端付近の上部であって蓋体を閉じた状態の蓋体とトレイの枢着点よりも先端側の位置に蓋体回動支部を凸設するとともに、蓋体を閉じた状態において蓋体回動支部に対応する位置を切欠した係合部を設けており、蓋体を開けるときに、蓋体回動支部と係合部の接触点を支点として蓋体が回動し、蓋体の後端が先端方向に移動してトレイが先方向に押し出される構成とすることもできる。
【発明の効果】
【００１４】
本発明にかかる収納ケースは、上記詳述したような構成であるので、以下のような効果を奏する、
１．蓋体の開閉に応じて収容体が先方に引き出される又は押し出される構成であるため、収容体を容易に取り出すことができる。ベースと連結杆が一体に構成されているため、枢着機構や軸支機構を設ける必要がなく、製品の構成部材が３点に限定されて少ないため、製造コストが安く、製造工程を短縮することが出来る。また、弾性を有した素材を使用すれば、連結杆は別途付勢手段を設ける必要がない。
２．蓋体の開閉に応じて収容体が先方に引き出される又は押し出される構成であるため、収容体を容易に取り出すことができる。連結杆とベースを別々に設けた構成であるため、連結杆とベースに弾性を有していない素材を用いることも出来る。
３．付勢手段を設けることにより、連結杆とベースが別々の部材で構成されている場合であっても、連結杆を上方に向かって付勢することができる。
４．蓋体の開閉に応じて収容体の端部を持ち上げることが出来るため、収容体を容易に取り出すことができる。
【００１５】
５．トレイに溝部を設けることで、蓋体およびベースの形状や連結杆を設ける位置が制限されないため、様々な形状の収納ケースに適用することができる。
６．ベース支持凸部を設けたため、ユーザーは蓋体の開閉動作を容易に行うことが出来る。また、蓋体を開く時にトレイと蓋体が必要以上に先方向に移動してしまった場合であっても、蓋体を閉じる際に傾斜面と凸部のアール形状が接触して蓋体が自動的に元の位置まで誘導され、トレイも元の位置に収納される。
７．蓋体開閉の始期に、連結杆によってトレイが前方に押し出される前にトレイを若干押し出すことができるため、よりスムースに蓋体の開閉を行うことが出来る。
【発明を実施するための最良の形態】
【００１６】
以下に本発明に係る収納ケースを図面により詳細に説明する。図１は本発明の収納ケースを開いた状態の斜視図であり、図２は本発明の収納ケースを閉じた状態の斜視図であり、図３は本発明の収納ケースの蓋体を開く際の各状態を示す展開図である。
本発明の収納ケース１０は、トレイ２０と、ベース３０と、蓋体４０と、連結杆５０とからなる構成である。トレイ２０はベース３０に摺動可能に装着されており、蓋体４０はトレイ２０の後端に回動可能に枢着されている。また、ベース３０と蓋体４０が連結杆５０で連結されており、蓋体の開閉に応じて自動的にトレイ２０が先後方向に摺動する構造である。
【００１７】
本発明の収納ケース１０は、略四角形の薄型の収容体１２を収納するケースである。本発明の収納ケースに収納することが出来る収容体としては、例えばノートや下敷きや書類などの他に、小型の記憶媒体などが挙げられる。ここで示す実施例では略四角形の薄型の収容体１２を収納しているが、収納部に収納される形状であれば収容体の形状は問わない。また、収納ケース１０は、目的とする収容体に応じて適宜の大きさに設定することにより、大型の収容体を収納するケースから小型の収容体を収納するケースまで幅広く応用適用することが可能である。また、複数の収容体を重ねて収納することが出来るような構造も、本発明の基本的な構成から容易に実現出来る。収納ケース１０の材質には樹脂、金属、木材などの材質を用いることが可能である。強度や外観、または収容体の性質に応じて適宜の材料を選択することが出来る。
【００１８】
トレイ２０は、収容体を収納する収納部２２が設けられた容器である。この実施例のトレイ２０は、略四角形状の薄い板材に収納部２２と、切欠部２４と、溝部２６、枢着部２８とを設けた構成である。トレイ２０は、後述するベース３０に摺動可能に装着され、蓋体の開閉に応じて先後に移動可能に構成されている。トレイ２０にはベース３０と摺動可能に係合する構が側面に設けられている。トレイ２０とベースを係合する機構または構造は、トレイ２０を摺動可能に装着できればどのような方法であってもよく、従来技術を適用すれば足りるためここでは詳説しない。
【００１９】
収納部２２は、収容体１２を収納するスペースである。この実施例の収納部２２は、後壁と左右の側壁に囲まれた空間で形成されているが、収容体１２を収納することができればどのような形状であってもよい。例えば前壁を設けた構成や、収容体を四隅で係止する係止爪などを設けた構成などを採用することも考えられる。なお、収納部２２の後壁は、収容体１２の前端を持ち上げるときに収納部の後端を保持するストッパの役割も果たす。
【００２０】
切欠部２４は、後述するベース３０に設けられている突起部３２を突出させるためにトレイの前側から後側にかけて設けられた切欠である。この実施例の切欠部２４は、トレイ２０の前辺中央部に設けられた略楕円形状の切欠と、略楕円形状の切欠の中央部付近から更にトレイ２０の後側に向かって延接された溝状の切欠からなる。切欠部２２は、トレイ２０が前方に移動する際に、突起部の邪魔にならなければよく、単に直線状に延設された溝状の切欠からなる構成としてもよい。この実施例の切欠部２２は、収容体の取り出しの際に収容体の端部を指でつまみやすくするために、前側に略楕円形状の切欠を設けた構成としている。
【００２１】
溝部２６は、後述するベース３０と蓋体４０を連結する連結杆５０を通すために、トレイ２０の後端から前側に向かって延設された溝である。連結杆５０の作動を邪魔することが無いように設けられていれば形状は特に限定されない。この実施例の溝部２６は、トレイ２０の後側では上面から下面にかけて貫通しており、トレイの前側ではトレイの下面のみに設けられている。トレイの前側の下面の溝は、連結杆の作動を阻害しないためではなく、ベース３０の上面に設けられたガイドを嵌合して、トレイ２０とベース３０を摺動可能に係合装着するために設けられている。
【００２２】
枢着部２８は、後述する蓋体４０を回動可能に枢着する部位であり、この実施例では蓋体４０に設けられた突起を嵌合する嵌合孔からなる。枢着部２８は、蓋体４０を回動可能に枢着することができればどのような構成であってもよく、形状はこの実施例に限定されない。また、この実施例では蓋体４０の突起部を嵌合して枢着する構成としているが、軸など挿通して軸着した構成としてもよい。
【００２３】
図１に示すように、この実施例の収納ケース１０は、収納部２２と枢着部２８の間に溝部２６が設けられた構成である。溝部２６は連結杆の位置および枢着部２８の位置によっては省略することも可能である。例えば、トレイ２０を、側壁と後壁と下面からなる収納部の側壁の外側面の後端付近に枢着部を設けた構成とし、蓋体４０をトレイ２０よりも幅広の形状とすれば、トレイに溝部を設けなくとも連結杆５０を装着することが出来る。ただし、この実施例の収納ケース１０のように、蓋体４０が全体を覆い隠すように構成すれば、機能のみでなく外観の美観を有した収納ケースを提供することが出来る。
【００２４】
ベース３０は、収納ケース１０の下面を構成する板材であり、トレイ２０を摺動可能に装着する機構を備え、前端面近傍に突起部３２を設けるとともに後述する連結杆５０を遥動可能に装着した構成である。ベース２０の形状や大きさは、トレイ２０と同様に収容体に合わせて設定すればよく、特に限定されない。
突起部３２は、収容体１２の先端部を持ち上げるために、前側から後側に傾斜した傾斜面を設けた突起であり、この実施例ではベース３０の前端面近傍の中央部に設けられ、トレイ２０を装着した際にはトレイ２０に設けられた切欠部２４を介して突出する。また、突起部３２は、後述する蓋体４０が閉じている状態では収容体１２とは非接触であり、蓋体４０を開いてトレイ２０が前方に移動した際には傾斜面と収容体の前辺端部が接触し、トレイ２０の移動と応動して収容体を持ち上げる。
【００２５】
この実施例のベース３０は、一つの突起部を備えた構成であるが、二つ以上の突起部を備えた構成とすることもできる。例えば、大きめの薄い紙などのように曲がりやすい収容体を収納する場合は、突起部を複数設けたほうが望ましいと考えられる。突起部の数または設置の間隔は想定される収容体の材質や大きさに合わせて適宜決定する必要がある。また、突起部を複数設ける場合は、同様にトレイ２０にも複数の溝部２６を設ける必要がある。
なお、突起部３２を設けないで、トレイ２０の前辺の一部に略楕円形状の切欠部２４のみを設けた構成とすることも可能である。このような構成であっても、切片部２４に指が入るので容易につまむことができるため、比較的容易に収容体を取り出すことができる。しかし、この実施例のように突起部３２を設けて収容体を持ち上げる構成としたほうが、より簡単に収容体を取り出すことができる収納ケースを提供できる。
【００２６】
ベース３０の先端部付近の両側端には、蓋体開閉時にユーザーがベースの両端を指で挟んで支持し、蓋体開閉を容易に行えるようにするために、左右一対のベース支持凸部３４が設けられている。この実施例のベース支持凸部は、ベースの側端面に上方に向かって設けられた板状体である。また、ベース支持凸部３４の表面には、複数の細い線状の凸部が平行に設けられており、滑り止めの役割を果たしている。
ベース支持凸部３４は、ユーザーが指などで押さえてベースを支持できれば、どのような形状・大きさであってもよい。この実施例のように収納ケースが比較的小型の場合、片手で両側面のベース支持凸部を挟持してベースを支持し、もう片方の手で後述する蓋体４０の開閉操作を行うことが出来る。ケースが大型の場合には、ベース支持凸部の中央に指を引っ掛けるための凹部などを設けることにより、同様の効果を得ることができる。
なお、ベース支持凸部の上面には、先端方向から後端に向かって徐々に傾斜する傾斜面３６が形成されている。傾斜面については、後述する蓋体４０の凹部４４と併せて詳説する。
【００２７】
また、ベース３０には、側面の後端付近の上部であって蓋体を閉じた状態の蓋体４０とトレイ２０の枢着点よりも先端側の位置に蓋体回動支部３８が凸設されている。この実施例の蓋体回動支部３８は、ベース３０の後端付近の上部に凸設された摺動方向に長い凸部である。また、蓋体回動支部の下面は後側に向かって徐々に傾斜して設けられているが、単に平行に設けられた形状であってもよい。
蓋体回動支部３８は、蓋体４０を開く際に、蓋体４０の係合部と係合し、その接触点を支点として蓋体を回動させることを目的としているため、蓋体４０とトレイ２０の枢動支点よりも先端側に設けられている必要がある。この実施例では摺動方向に長い凸部の形状であるが、蓋体４０が回動する際の蓋体４０との接触点は先方側の端部である。従って、蓋体回動支部３８はこの実施例のような摺動方向に長い形状でなくとも足りる。例えば、この実施例の蓋体回動支部３８における先方側の部分だけを設けた構成や、単に円形の凸部の形状などが考えられ、適宜の形状を選択すればよい。この実施例では、外観の美観を考慮して摺動方向に長い形状としている。
【００２８】
蓋体４０は、トレイ２０および収容体１２を覆う蓋である。この実施例の蓋体４０は、上面と左右の側壁と前壁からなる蓋であり、左右の側壁の後端近傍の内側外面にはトレイ２０の枢着部に嵌合する円形の突起部４４が設けられ、トレイ２０に回動可能に枢着される。また、蓋体４０の内側裏面には、連結杆５０を摺動可能に係合するガイド溝４２が設けられている。蓋体４０の形状は、トレイ２０およびベース３０の形状に合わせて決定すればよい。また、蓋体が容易に開閉しないように、トレイ２０やベース３０と係合するストッパなどを設けた構成としてもよい。
【００２９】
ガイド溝４２は、連結杆５０を摺動可能に係合するための溝であり、この実施例では蓋体４０の内裏面の両側に側面に沿って設けられている。この実施例のガイド溝４２は、蓋体４０の内裏面に立設された左右一対の板材の上端部をお互いに内側に折り曲げた形状である。この実施例のガイド溝４２は、後述する連結杆５０の左右に凸部を設けた後端部を摺動可能に係合できる形状であるが、連結杆５０を摺動可能に係合できればガイド溝の形状は特に限定されない。例えば、蓋体を比較的厚めの形状にし、同様の断面形状を刻設した構成としてもよいし、連結杆５０の端部形状に応じて適宜の形状を選択すればよい。また、この実施例のガイド溝は蓋体４０の上面に設けられた構成であるが、連結杆５０の位置に応じて、側壁に設けた構成とすることも可能である。
なお、ガイド溝４２の長さは、蓋体４０の開閉およびトレイ２０が滑らかに動くように適宜の長さに設定する。ガイド溝４２の長さは、連結杆５０の長さや連結杆とベース４０の連結される位置、溝の高さやケースの大きさによって異なるため、その都度適宜の長さを検討する必要がある。
【００３０】
蓋体４０の両側面は、ベース３０に設けられたベース支持凸部３４に対応した形状の凹部４４が設けられており、収納ケース１０の側面にベース支持凸部３４が露出する構成である。また、凹部４４の開口端の後側の端部は、アール形状４６に加工されている。
本発明の収納ケースでは、蓋体を閉じる際にトレイが収納位置まで完全に戻らないことがある。このような場合、ただ蓋体を閉じる操作を行っただけでは完全に蓋体を閉じることが出来ず、ユーザーは蓋体とトレイを後側に戻す操作を行う必要がある。この実施例のようにベース支持凸部３４に傾斜面３６を設けるとともに、蓋体の凹部４４の開口端の後側の端部をアール形状に構成すれば、蓋体を閉じる際にベース支持凸部の傾斜面３６と凹部のアール形状４６の端部が接触し、蓋体が傾斜面に沿って後側に押され、自動的に元の位置に収納される。
なお、凹部４４の後側の端部をアール形状としなくても同様の効果を奏すると考えられる。しかし、アール形状としない場合は、ベース支持凸部の傾斜面３６に傷が付いて滑らかな動作を損なうと考えられる。また、アール形状にしたほうが引っかかりが少なく、滑らかに動作する。したがって、端部はアール形状に形成することが望ましい。
【００３１】
蓋体４０の側壁の後端側の上端部には、ベース３０の蓋体回動支部３８と係合するための係合部４８が設けられている。この実施例の係合部４８は、蓋体４０の側壁を蓋体のベース回動支部に対応する形状に切欠した形状である。蓋体４０を開く際に、ベース回動支部と係合し、その接触点を支点として蓋体を回動させることが出来ればよく、形状は特に限定されない。ただし、蓋体４０の係合部は、開閉動作時に接触して支点としての役割を果たし、かつ、蓋体回動支部３８を完全に固定しない構成とする必要がある。トレイ２０と蓋体４０は開閉時に摺動して移動するため、固定した構成とすると蓋体４０の動作が妨げられる。
【００３２】
本発明の収納ケースでは、ベース３０の蓋体回動支部３８と蓋体４０の係合部４８を設けない構成としても、トレイを摺動させる作用効果を得ることが出来る。したがって、ベース３０の蓋体回動支部と蓋体４０の係合部を設けない構成としてもよい。ただし、蓋体４０を開く操作を行う際に、その始めの段階では連結杆５０が殆ど横倒しの状態であり、かつ、連結杆は蓋体に摺動可能に係合した構成であるため、そのままでは殆どトレイを移動する作用が得られない。この実施例のように、ベース３０の蓋体回動支部３８と蓋体４０の係合部４８を設ければ、蓋体の開き始めであってもトレイを先方向に押し出すことができ、開閉始期の作動を滑らかにすることが出来る。また、ベース３０の蓋体回動支部３８と蓋体４０の係合部４８の接触点（支点）とトレイ２０と蓋体４０の枢着点との距離は、連結杆５０と蓋体４０との係合部（支点）とトレイ２０と蓋体４０の枢着点との距離よりも短い。したがって、蓋体の開閉の始期では、てこの原理により連結杆による回動動作時よりも大きな力でトレイを前進させることが出来る。例えば、トレイ２０が完全に収納された位置でトレイを係止し、トレイを強めに先方向に移動させる力を加えると係止が解除されるような係止手段を設けた場合は、積極的に蓋体の開閉操作を行わない限りトレイが自由に移動することのない収納ケースを提供することも可能である。
【００３３】
連結杆５０は、前端がベース３０と一体に回動自在に装着されるとともに前端が蓋体４０のガイド溝４２に摺動可能に係合されており、ベース３０と蓋体４０を連結するための棒状部材である。
この実施例の連結杆５０の後端には、蓋体４０のガイド溝４２に係合する左右一対の凸部が設けられている。また、この実施例の連結杆５０の前端は、ベース３０と一体に成形され、ベースの後端側の斜め上向き状態を保持するように形成されている。また、ベースと連結杆の接続部は薄く形成されており、連結杆は遥動可能であるとともに、ベースと連結杆の素材に弾性を有した樹脂を採用し、連結杆に力を加えて移動させても元の位置に戻るように形成されている。例えば、蓋体４０を閉じた状態では、連結杆５０は上向きに付勢されて横倒した状態に保持されており、蓋体の開き始めにおいて連結杆５０が上方に摺動しやすく、滑らかに作動させることが可能となる。なお、連結杆の復元位置を垂直状態に近く設定すると、蓋体を閉じる際に元に戻りにくくなるという問題がある。したがって、連結杆の復元位置は蓋体開閉時の可動範囲に応じて適宜に設定する必要がある。
【００３４】
この実施例のベースと連結杆は、樹脂や金属などの弾性を有した素材を採用している。また、ベース４０と連結杆５０の連結部は薄めに構成されているため、連結杆は遥動自在である。連結杆５０は遥動可能に設けられていれば一体に成形された構成には限定されず、連結杆の装着方法は適宜の方法を選択することができる。例えばピンなどで軸着した構成や、ベースに枢着凹部を設けるとともに連結杆の前端にも後端と同様の凸部を設けて枢着する構成とすることもできる。また、ベース３０と連結杆５０を別々に構成した場合は、ベース３０と連結杆５０の連結部に付勢手段を設けて、連結杆５０を上方に向かって付勢した構成とすることも可能である。付勢手段については従来用いられている板ばね等のバネ材を用いればよく、特に限定されない。板ばね以外にも、洗濯バサミなどに用いられているような針金を巻いたバネや、通常のコイルバネを用いることも可能である。また、付勢手段を収納するためにバネ収納用の凹部を設けたり、板バネを係止する係止部などを設けることも考えられる。
【００３５】
本発明の収納ケース１０では、蓋体４０のガイド溝に連結杆５０が摺動可能に連結された構成であるが、蓋体４０の特定の位置に回動可能に装着されて摺動しない構成とすることも当然に可能である。ただし、摺動する構成としたほうが蓋体４０およびトレイ２０が滑らかに動作するだけでなく、トレイ２０の押し出し量を大きくすることも出来るため、摺動可能とすることが望ましい。
【００３６】
図面を用いて本発明の収納ケース１０における蓋体の開閉時の状態遷移について説明する。図１は蓋体４０を完全に開いた状態であり、図２は蓋体４０を完全に閉じた状態の図である。また、図３は本発明の収納ケースにおいて蓋体を開閉する際の状態遷移を側面から見た図である。
【００３７】
図１に示すように、蓋体４０が閉じているときは、連結杆５０はトレイ２０の溝部２６に沿って横倒した状態になっており、トレイ２０は収容体１２とともにケース内に完全に収納されている。図３（ａ）のように蓋体４０を若干開く操作を行うと、トレイ２０と蓋体４０の枢着部を支点として蓋体が回動し、蓋体の操作に応じて連結杆５０が徐々に持ち上がる。また、蓋体は連結杆５０の後端と接続された位置を支点として回動するため、蓋体の先端を後方に倒して行くとトレイ２０が先方向に若干押し出される。この実施例の収納ケース１０では、まだ収容体が突起部に接触していないため、収容体は収納されたままである。更に蓋体４０を開いてゆくと、トレイ２０は更に前方に押し出され、図３（ｂ）のようにベース３０に設けられた突起部と収容体１２の前端部が接触し、収納部１２の前端が若干持ち上げられる。更に蓋体４０を開くことにより、図１のように収容体１２の前端が完全に持ち上がる。
【００３８】
なお、本発明の収納ケースを応用すれば、複数の収容体を収容できる収納ケースも用意に想起することが出来る。例えば、二つ以上の収納部を並設したトレイを設けた構成や、複数のトレイをベースに装着して蓋体の開閉で同時に摺動させるような構成も、本発明の収納ケースの構成を応用適用することにより容易に実現可能であり、いずれも本発明の範囲に含まれる。
【図面の簡単な説明】
【００３９】
【図１】本発明の収納ケースの蓋体を開いた状態の斜視図
【図２】本発明の収納ケースの蓋体を閉じた状態の斜視図
【図３】本発明の収納ケースのを開く際の各状態を示す展開図
【符号の説明】
【００４０】
１０  収納ケース
１２  収容体
２０  トレイ
２２  収納部
２４  切欠部
２６  溝部
２８  枢着部
３０  ベース
３２  突起部
３４  ベース支持凸部
３６  ベース支持凸部の傾斜面
３８  蓋体回動支部
４０  蓋体
４２  ガイド溝
４４  凹部
４６  凹部のアール形状
４８  係合部
５０  連結杆
【図１】
2006082868.tif 000003
【図２】
2006082868.tif 000004
【図３】
2006082868.tif 000005